(57)【特許請求の範囲】
【請求項１】
モジュール式家具の第１の物品の第１の側部に沿って配設された第１の誘導コイルと、
モジュール式家具の前記第１の物品の第２の側部に沿って配設された第２の誘導コイルと、
前記第１および第２の誘導コイルの両方に結合され、前記第１および第２の誘導コイル間の電気的連絡をもたらす導電体とを備え、
モジュール式家具の第１の物品は、電力の供給源の１つもしくは複数、ならびに、１つもしくは複数の第２の同様に構成されたモジュール式家具の物品に誘導結合され、
１つまたは複数の電子デバイスは、前記電子デバイスに電力を供給するために前記導電体に結合された、モジュール式家具の物品用の誘導結合の配電回路。
【請求項２】
前記電子デバイスの１つまたは複数は、モジュール式家具の前記第１または第２の物品上に装着された誘導結合電力モジュールを備えた、請求項１に記載の配電回路。
【請求項３】
モジュール式家具の前記第１および第２の物品は、パネルを含み、前記第１および第２の誘導コイルは、少なくとも部分的に前記パネルの本体の内部に、および前記パネルの反対側の縁部に配設された、請求項１に記載の配電回路。
【請求項４】
モジュール式家具の第１および第２の物品の複数は、直列回路、並列回路、またはデイジーチェーン回路の構成の、１つまたは複数で相互に誘導結合された、請求項１に記載の配電回路。
【請求項５】
前記導電体は、迅速接続またはプラグアンドプレイ接続を受け入れるように構成された、請求項１に記載の配電回路。
【請求項６】
モジュール式家具の前記第１および第２の物品は、机上面パネル、テーブル上面パネル、作業台、事務所の立体構成要素、および座席家具構成要素を備えた、請求項１に記載の配電回路。
【請求項７】
モジュール式家具の前記第１および第２の物品は、拡大可能なテーブル上面の自在板を備えた、請求項１に記載の配電回路。
【請求項８】
複数の机上面パネルと、
前記複数の机上面パネルのそれぞれの第１の縁部に沿って配設された第１の誘導コイルと、
前記複数の机上面パネルのそれぞれの第２の縁部に沿って配設された第２の誘導コイルであって、前記第２の縁部は、前記第１の縁部と同じもしくは異なる、第２の誘導コイルと、
それぞれの机上面パネル上のそれぞれの第１および第２の誘導コイルの間に結合され、前記第１および第２の誘導コイルの間の電気的連絡をもたらす導電体と、
前記複数の机上面パネルのそれぞれの下側部の上または内部に配設され、それぞれのパネル上の前記導電体に電気的に結合された１つもしくは複数の誘導結合モジュールと、
前記複数の机上面パネルの少なくとも１つの上の前記第１の誘導コイルと電力の供給源との間の電気的結合とを備え、
前記複数の机上面パネルのそれぞれの上に配設された前記第１または第２の誘導コイルの少なくとも１つは、前記複数の机上面パネルのすべてを接続する電気回路を形成するために、前記複数の机上面パネルの少なくとも１つの他のものの上に配設された前記第１または第２の誘導コイルに誘導結合された、モジュール式家具の物品用の誘導結合の配電回路。
【請求項９】
前記複数の机上面パネルの少なくとも１つの上の前記第１の誘導コイルと電力の前記供給源との間の前記電気的結合は、誘導結合である、請求項８に記載の配電回路。
【請求項１０】
前記複数の机上面パネルのそれぞれの下側部の上または内部に配設された前記誘導結合モジュールは、前記机上面パネルの下側部に結合された筐体であって、少なくとも一部分が前記机上面パネルの前記下側部内の空洞内に伸張した、筐体と、前記筐体の内部に配設され、前記机上面パネルの上面の動作距離内に設置され、前記筐体の内面に接し、もしくは近辺にあり、前記空洞内に伸張する前記筐体の前記一部分の内部にある誘導コイルと、前記誘導コイルの動作を制御し、前記導電体に接続するために、前記筐体の内部に配設された制御電子回路とをさらに備えた、請求項８に記載の配電回路。
【請求項１１】
前記筐体は本体部分およびコイル部分をさらに備え、前記本体部分は前記制御電子回路を収容し、前記コイル部分は前記誘導コイルを収容し、前記コイル部分は、円筒形であり、前記本体部分から、少なくとも部分的に、前記机上面パネルの前記下側部内の前記空洞内に伸張し、前記コイル部分が前記本体部分から伸張する距離は、前記コイル部分を前記机上面パネルの前記下側部内の前記空洞の深さに適合させるように調整可能であり、前記コイル部分は、伸張された位置に向かって偏移された、請求項１０に記載の配電回路。
【請求項１２】
前記導電体は、迅速接続またはプラグアンドプレイ接続を受け入れるように構成された、請求項８に記載の配電回路。
【発明の詳細な説明】
【技術分野】
【０００１】
関連出願の相互参照
本非仮特許出願は、２００９年９月１６日出願の米国仮特許出願第６１／２４２，９６
４号の優先権を主張し、２００９年１月５日出願の米国仮特許出願第６１／１４２，５５
７号、２００８年２月２５日出願の米国仮特許出願第６０／０３１，１３２号、２００９
年２月２４日出願の米国非仮特許出願第１２／３９１，７１４号、２００９年２月２４日
出願の米国非仮特許出願第１２／３９１，７３５号、および米国非仮特許出願第１２／３
９１，６９８号に主題により関連するものである。ここに、これらのそれぞれの開示は、
本明細書にその全体が参照により組み込まれる。
【背景技術】
【０００２】
今日の世界にきわめてありふれている電子回路の多くに関連する問題の１つは、様々な
電子部品に関連するコードおよびケーブルの必要性である。再充電式コードレスデバイス
は、ありふれた代替物である。しかし、これらのデバイスは、依然として、充電、ならび
に、充電に対応するための関連するコードおよびケーブルを必要とする。
【０００３】
誘導結合電力回路を提供することにより、これらの限界に対処するための技術が開発さ
れてきた。この回路は、共振を動的に探索し、一次コイルから二次コイルを有する二次デ
バイスへの電力伝達を最適化する。電力伝達は、複数の様々な負荷条件のもとで行われ得
る。この回路を使用することにより、一次供給回路は、その動作を、電力が供給される二
次デバイスの必要量を与えるように適合させる。この回路によりさらに、一次供給回路が
、複数の二次デバイスに同時に電力を供給することが可能になる。
【０００４】
このタイプの誘導結合電力回路は、工業用作業面、事務所の面、家庭の面、および他の
面の設計において利用され得る。
【発明の概要】
【課題を解決するための手段】
【０００５】
本発明の実施形態は、全体的には、誘導結合によって、１つまたは複数の二次デバイス
に電力を付与するための、モジュールおよび装置に関する。本発明の実施形態は、誘導結
合モジュール（以降モジュール）であって、モジュールに対向してパネルの面上に配置さ
れる二次デバイスが、動作のために、または、その中の１つもしくは複数のバッテリを充
電するために電力が付与されるように、パネルの中または上に装着されるモジュールを含
む。モジュールは、任意の厚さの面とのモジュールの一体化を可能にするように調整可能
であり得る。
【０００６】
本発明の別の実施形態では、１つまたは複数の誘導結合分節によって、１つまたは複数
の二次デバイスに電力を付与するための電気回路が提供される。電気回路は、各端部に誘
導結合デバイスを有する複数の分節を含む。分節は、モジュール式机上面の部分品などの
物体の上に装着される、またはそれと一体化される。モジュール式机上面の複数の部分品
は、所望の配列で当接し、それによって、各部分品の誘導結合デバイスを位置合わせする
。このように、電気回路は、誘導結合デバイスの結合によって形成される。したがって、
電力は、電線などの物理的接続なしに分節間で供給され、分節、およびモジュール式机上
面の部分品が、容易かつ安全に再構成されることを可能にする。さらに、電気回路は、１
つまたは複数の、誘導結合モジュールまたは他のデバイスに、電力を付与することができ
る。
【０００７】
本概要は、以下の発明を実施するための形態でさらに説明される概念の選択したものを
、簡潔な形で紹介するために提供される。本概要は、請求する主題の重要な特徴または本
質的な特徴を特定することは意図されず、請求する主題の範囲を決定する際に、切り分け
において一助として使用されることもまた意図されない。
【０００８】
本発明の例示的な実施形態が、添付の図面を参照して以下で詳細に説明される。
【図面の簡単な説明】
【０００９】
【図１】本発明の実施形態による、一次コイルと二次コイルとの間の誘導結合を図示する例図である。
【図２】本発明の実施形態による、貫通孔構成での装着に好適な誘導結合モジュールを図示する３次元レンダリングである。
【図３】図３Ａは、本発明の実施形態による、面下（ｓｕｂ−ｓｕｒｆａｃｅ）装着に好適な誘導結合モジュールを図示する斜視図である。図３Ｂは、本発明の実施形態による、面内に据え付けられた図３Ａの誘導結合モジュールの切断側面図である。図３Ｃは、本発明の実施形態による、図３Ａの誘導結合モジュールの端部立面図である。図３Ｄは、本発明の実施形態による、図３Ａの誘導結合モジュールの上平面図である。
【図４】図４Ａは、本発明の実施形態による、低電力誘導結合モジュールを図示する分解斜視図である。図４Ｂは、本発明の実施形態による、第１の方向での図４Ａの低電力誘導結合モジュールを図示する斜視図である。図４Ｃは、本発明の実施形態による、第２の方向での図４Ａの低電力誘導結合モジュールを図示する斜視図である。
【図５】図５Ａは、本発明の実施形態による、中電力誘導結合モジュールを図示する分解斜視図である。図５Ｂは、本発明の実施形態による、第１の方向での図５Ａの中電力誘導結合モジュールを図示する斜視図である。図５Ｃは、本発明の実施形態による、第２の方向での図５Ａの中電力誘導結合モジュールを図示する斜視図である。
【図６】図６Ａは、本発明の実施形態による、単一の筐体を含む分解された誘導結合モジュールを図示する斜視図である。図６Ｂは、本発明の実施形態による、組み立てられた状態での図６Ａの誘導結合モジュールを図示する斜視図である。
【図７】図７Ａは、本発明の実施形態による、調整可能な高プロファイル誘導結合モジュールを図示する斜視図である。図７Ｂは、本発明の実施形態による、連続的に伸張される位置での上部筐体を図示する、図７Ａの誘導結合モジュールの切断立面図である。図７Ｃは、本発明の実施形態による、連続的に伸張される位置での上部筐体を図示する、図７Ａの誘導結合モジュールの切断立面図である。
【図８】図８Ａは、本発明の実施形態による、調整可能な低プロファイル誘導結合モジュールの斜視図である。図８Ｂは、本発明の実施形態による、収納される位置での誘導コイルを図示する、図８Ａの低プロファイル誘導結合モジュールの切断側面図である。図８Ｃは、本発明の実施形態による、伸張される位置での誘導コイルを図示する、図８Ａの低プロファイル誘導結合モジュールの切断側面図である。
【図９Ａ】本発明の実施形態による、作業台内に装着された誘導結合電力回路の斜視図である。
【図９Ｂ】本発明の実施形態による、作業台内に装着された図９Ａの誘導結合ユニットの拡大斜視図である。
【図９Ｃ】本発明の実施形態による、相互に誘導結合される３つの作業台内に装着された誘導結合電力回路の斜視図である。
【図９Ｄ】本発明の実施形態による、図９Ｃの誘導結合される作業台の下からの斜視図である。
【図１０】図１０Ａは、本発明の実施形態による、その下側部に誘導結合電力回路が装着されたテーブルの斜視図である。図１０Ｂは、本発明の実施形態による、図１０Ａのテーブルの下からの斜視図である。
【図１１】図１１Ａは、本発明の実施形態による、面内に装着された誘導結合ユニットを図示する切断斜視図である。図１１Ｂは、本発明の実施形態による、図１１Ａの誘導結合ユニットの斜視図である。
【図１２】本発明の実施形態による、それに誘導結合ユニットが装着されたテーブルの下側部を図示する斜視図である。
【図１３】図１３Ａは、本発明の実施形態による、その中に誘導結合電力回路が装着されたモジュール式机上面を図示する斜視図である。図１３Ｂは、本発明の実施形態による、誘導結合電力回路、およびその上に装着された誘導結合モジュールを図示する、図１３Ａのモジュール式机上面の底平面図である。図１３Ｃは、本発明の実施形態による、図１３Ａのモジュール式机上面上に装着され、誘導結合回路に結合される誘導結合モジュールの平面図である。
【発明を実施するための形態】
【００１０】
本発明の実施形態の主題は、法定要件を満たすように本明細書で特殊性に関して説明さ
れる。しかしながら、説明自体は、本特許の範囲を限定することは意図されない。むしろ
、本発明者は、他の現在または将来の技術に関連して、本文書で説明されるものと同様に
、異なる構成要素または構成要素の組み合わせを含むように、請求する主題が他の方法で
もまた実施され得ることを企図している。
【００１１】
上記の背景技術の項で記述されたように、インテリジェントな誘導結合電力回路１００
を提供する技術が開発されてきた。この回路１００は、図１に図示されるように、共振を
動的に探索し、一次コイル１０２から二次コイル１０６を有する二次デバイス１０４への
電力伝達を最適化する。回路１００により、一次コイル１０２が、二次デバイス１０４の
電力必要量を決定かつ付与することが可能になる。この回路１００を使用することにより
、一次供給回路１０８は、その動作を、電力が供給される二次デバイス１０４の必要量を
与えるように適合させる。回路１００によりさらに、一次供給回路１０８が、複数の二次
デバイス１０４に同時に電力を供給することが可能になる。
【００１２】
一次コイル１０２は、低、中、または高の量の電力を付与するように設計され得るとと
もに、二次デバイス１０４の、それによって使用されることになる電力要求量に基づいて
、選択かつ使用され得る。低電力一次コイル１０２は、一次コイル１０２によって二次デ
バイスコイル１０６に伝達される、最大約２０ワットの電力を付与するように設計される
。中電力一次コイル１０２は、一次コイル１０２によって二次デバイスコイル１０６に伝
達される、約２０ワットから１００ワットの間の電力を付与するように設計されるが、よ
り大きな、またはより小さな電力もまた付与され得る。約１００ワットを超える電力を付
与するように設計される一次コイル１０２は、高電力一次コイル１０２と指定される。低
、中、および高の電力の指定は、説明の目的のみのために、本明細書で説明されるもので
あり、本発明の実施形態の設計、使用方法、または構造を制限することは意図されない。
【００１３】
誘導結合電気回路は、例えば、以下のものに限らないが、携帯電話、携帯情報端末（Ｐ
ＤＡ）、懐中電灯、ランプ、ラップトップコンピュータ、および電動工具を含む、コード
レス二次デバイス１０４に電力供給するために、かつそれらを再充電するために使用され
得る。各コードレス二次デバイス１０４は、当技術分野で知られるように、一次コイル１
０２の近くに配置されるときに、自動的に認識され、それに結合される二次コイル１０６
を有する。図１に図示されるように、双方向通信が、一次デバイスと二次デバイス１０４
との間で、他の情報とともに、電力必要量、バッテリ寿命、および充電サイクルを特定す
るために確立され得る。
【００１４】
実施形態において、誘導結合モジュールが説明される。誘導結合モジュールは、パネル
の第１の側部に結合される筐体を含み、筐体の少なくとも一部分が、第１の側部内の空洞
内に伸張する。モジュールはさらに、筐体の内部に配設され、第１の側部の反対側のパネ
ルの第２の側部の上面の動作距離内に設置される誘導コイルを含む。誘導コイルは、空洞
の内面に接触し、または近辺にあり、筐体の壁部が、誘導コイルと空洞の内面との間に配
設される、または配設されない。制御電子回路がさらに、誘導コイルの動作を制御し、電
源に接続するために、筐体の内部に配設される。
【００１５】
別の実施形態では、第１および第２の誘導コイルならびに導電体を含む、モジュール式
家具の物品用の誘導結合配電回路が説明される。第１の誘導コイルは、モジュール式家具
の第１の物品の第１の側部に沿って配設される。第２の誘導コイルは、モジュール式家具
の第１の物品の第２の側部に沿って配設される。導電体は、第１および第２の誘導コイル
の両方に結合され、コイル間の電気的連絡をもたらす。モジュール式家具の第１の物品は
、電力の供給源の１つもしくは複数、ならびに、１つもしくは複数の第２の同様に構成さ
れるモジュール式家具の物品に誘導結合される。そして、１つまたは複数の電子デバイス
が、電子デバイスに電力を供給するために導電体に結合される。
【００１６】
別の実施形態では、モジュール式家具の物品用の誘導結合配電回路が説明される。回路
は、机上面パネル、それぞれの机上面パネル上の第１および第２の誘導コイル、それぞれ
の第１および第２の誘導コイルの間の導電体、誘導結合モジュール、ならびに、別個のパ
ネルの第１および第２の誘導コイル間の、および電源との電気的結合を含む。第１の誘導
コイルは、複数の机上面パネルのそれぞれの第１の縁部に沿って配設される。第２の誘導
コイルは、複数の机上面パネルのそれぞれの第２の縁部に沿って配設される。第２の縁部
は、第１の縁部と同じである、または異なる。それぞれの机上面パネル上のそれぞれの第
１および第２の誘導コイルの間に結合される導電体は、第１および第２の誘導コイルの間
の電気的連絡をもたらす。誘導結合モジュールは、机上面パネルのそれぞれの下側部の上
または内部に配設され、それらのそれぞれのパネル上の導電体に電気的に結合される。第
１または第２の誘導コイルの少なくとも１つが、机上面パネルのすべてを接続する電気回
路を形成するために、別の机上面パネル上に配設される第１または第２の誘導コイルに誘
導結合される。
【００１７】
誘導結合モジュール
次に、図２乃至図８を参照して、本発明の実施形態による、誘導結合モジュール（複数
のモジュール）が説明される。以下で説明されるように、実施形態のモジュールは、厚さ
が様々である種々の面内に装着されるように、かつそれらに適合可能であるように設計さ
れる。面は、例えば、以下のものに限らないが、パネル、テーブル上面、机上面、棚、コ
ンソール、カウンター上面、および家具の面、および種々の他のもの（以降、ひとまとめ
にパネルと呼ばれる）などの、デバイスの誘導結合によって、その上で電力を付与するこ
とが好都合であり得る任意の面を含む。モジュールはさらに、パネルの上方へ突出するこ
と、パネル面と同高である（ｆｌｕｓｈ）こと、パネル面と同高より低い（ｓｕｂ−ｆｌ
ｕｓｈ）こと、および、パネル面に隠れている、例えばパネル面の下であることを含めて
、パネルの上面に対して種々の方向で装着されるように設計される。
【００１８】
次に、図２を参照して、本発明の実施形態による、誘導結合モジュール２００が説明さ
れる。モジュール２００は、上部筐体２０２、下部筐体２０４、および電源コード２０６
を含む。上部筐体２０２は、開口端部、および上面２０８により形成される閉口端部を有
する、中空であり、全体的に円筒形の構成要素である。環状リング２１０が、上面２０８
の近辺に、上部筐体２０２から伸張する。上部筐体２０２は、下部筐体２０４と結合する
ために、内面に沿って、ねじ山または他の特徴部を含み得る。
【００１９】
下部筐体２０４もまた、中空であり、開口端であり、全体的に円筒形の構成要素である
。電源コード２０６は、底面２１２から伸張し、複数のつまみ２１４が、下部筐体２０４
の外面から伸張する。つまみ２１４はそれぞれ、開口部２１５を含み、それを通して、ね
じ、ボルト、釘、または鋲などの止め具が挿入され得る。下部筐体２０４はさらに、上部
筐体２０２の内部上の相補的な特徴部に結合するために、外面に沿って、ねじ山２１６ま
たは他の特徴部を含む。
【００２０】
上部筐体２０２は、下部筐体２０４と一体となって、誘導コイル、関連する電子ハード
ウェア、および制御回路をモジュール２００の内部に封入する。誘導コイル（図示せず）
は、誘導コイルと、その近くに配置される二次デバイスとの間の距離が最小化されるよう
に、上部筐体２０２の上面２０８に取り付けられる、またはそれに接して、もしくはその
近辺に偏移される。
【００２１】
モジュール２００および以下で説明される本発明の実施形態の構成要素は、任意の好適
な材料で、および知られている製造の方法により組み立てられる。例えば、上部筐体２０
２および下部筐体２０４は、プラスチックまたは金属などの任意の好適な材料で、および
任意の利用可能な製造の方法により組み立てられる。さらに、電源コード２０６は、電力
をモジュール２００に供給するための、任意の利用可能な電線もしくはコードならびにプ
ラグの技術を備える。
【００２２】
モジュール２００は、貫通孔構成で装着するように設計され、円筒形の孔が、パネルを
貫通して中ぐりされ、モジュール２００がその中に、上面２０８がパネルの面の上方に露
出されるように挿入される。上面２０８は、所与の用途において、必要に応じて、パネル
の面の上方に伸張する場合があり、面と同高である場合があり、または面と同高より低い
場合がある。環状リング２１０は、モジュール２００が面の上方に伸張する装着構成にお
いて、モジュール２００がパネル内の孔を通り抜けることを阻害するように、パネルの上
部で支えられ得る。あるいは、上面２０８がパネルの面の上部と同高である、またはそれ
と同高より低いように、パネル内の孔の上部が、直径が環状リング２１０のものと等しく
、またはそれよりわずかに大きく、深さが環状リング２１０の厚さのものと等しい、また
はそれよりわずかに大きい場合がある。
【００２３】
モジュール２００をパネル内に装着するために、まず、貫通孔が、パネルを貫通して中
ぐりされる。上部筐体２０２および下部筐体２０４が、分離される。下部筐体２０４が、
パネルの下から貫通孔に挿入され、上部筐体２０２が、パネルの上方から挿入される。下
部筐体のねじ山２１６が、上部筐体２０２のねじ山と係合し、２つの筐体は、つまみ２１
４がパネルの底面に接して引き寄せられるまで、相互に回転すなわち螺合される。上部筐
体２０２と下部筐体２０４との間のねじ係合は、環状リング２１０とつまみ２１４との間
の距離をより大きく、またはより小さくするために、締め付けられ得る、または緩められ
得る。これにより、モジュール２００が、厚さに範囲があるパネル内に据え付けられるこ
とが可能になる。ねじなどの１つまたは複数の固定具が、つまみ２１４内の開口部２１５
を通して挿入され、モジュール２００を定位置で保持するために、パネルの底面と係合す
る。電源コード２０６は、対合する電気接続に結合される。
【００２４】
実施形態では、モジュール２００はさらに、充電表示器（図示せず）を含む。充電表示
器は、ＬＥＤまたは他の光源であり得る。充電表示器はさらに、上面２０８の輪郭を実質
的にたどるＬＥＤまたは光源のリングであり得る。充電表示器は、二次デバイス内の二次
コイルが一次コイルから電力を取り出すときに照明される。このように、充電表示器の照
明は、二次デバイスがモジュール２００上に配置され、充電されるときに行われる。他の
実施形態では、光パイプまたは電気接続が、充電表示器をパネル上の任意の場所に配置す
るために使用される。
【００２５】
次に、図３Ａ乃至図３Ｄを参照して、本発明の実施形態による、モジュール３００が説
明される。モジュール３００は、面下の用途のために設計される。面下の用途では、モジ
ュール３００は、図３Ｂに図示されるように、底面３０２に、および／またはパネル３０
４の底部内の空洞３０３の内部に装着され、パネル３０４を完全には穿通しない。したが
って、モジュール３００は、パネル３０４の上部３０６からは見えない。あるいは、別の
実施形態では、モジュール３００および何らかの表示灯が、パネル３０４の上面３０６よ
り下の、パネル３０４内に伸張する空洞の内部に装着される。パネル３０４の上面３０６
での空洞の開口端部は、モジュール３００および何らかの表示灯がパネル３０４の上方か
ら見えるように、パネル３０４の上面３０６と同じ高さである透き通ったプラスチックシ
ートまたは他の透明な材料で覆われる。
【００２６】
モジュール３００は、上部筐体３０８、下部筐体３１０、電源コード３１２、および充
電表示器３１３を含む。上部筐体３０８は、上部筐体３０８の上面３１４に接して、また
は近辺に保たれる誘導コイル（図示せず）を収容する。上部筐体３０８は、全体的に円筒
形の中空の構成要素として図示されるが、任意の所望の形状または構成をとり得る。本発
明の実施形態では、上部筐体３０８の円筒形の構成が、パネル３０４内に中ぐりされた円
形の孔の内部に装着することが容易になるために好都合である。
【００２７】
下部筐体３１０は、モジュール３００の動作のための、任意の必要な電気部品および制
御回路を収容するのに十分な、長方形の箱型の構成を有する。実際には、パネル３０４下
方の空間への下部筐体３１０の出っ張りを最小限に抑えるように、下部筐体３１０のサイ
ズを最小限に抑えることが好都合である。
【００２８】
上部筐体３０８は、任意の利用可能な方法により、下部筐体３１０の上面に結合され、
その中に包含される誘導コイルおよび制御回路は、電気的連絡の状態にされる。実施形態
では、上部筐体３０８は、下部筐体３１０の上面と一体である。
【００２９】
電源コード３１２は、モジュール３００を適切な電源に接続するために、下部筐体３１
０から伸張する。電源コード３１２は、電源に接続するのに好適なプラグ３１６を含む。
充電表示器３１３に接続するコード３１８もまた、下部筐体３１０から、接続部からそ
の中に包含される制御回路まで伸張する。コード３１８は、当技術分野で利用可能な任意
の好適な電気コードで構成され、充電表示器３１３を所望の位置に装着することを可能に
するために、任意の所望の長さを有する。充電表示器３１３は、ＬＥＤ（発光ダイオード
）または他の好適な光源を備え、モジュール３００の状態をユーザに表示するために、制
御回路により制御される。実施形態では、充電表示器３１３は、モジュール３００が二次
デバイスを充電しているときは点滅し、二次デバイスの充電が完了しているときは継続的
に照明され、モジュール３００が二次デバイスに電力を供給していないときは照明されな
い。
【００３０】
動作の際には、モジュール３００は、パネル３０４の底面３０２に装着される。空洞３
０３は、パネル３０４の中に途中まで中ぐりされ、底面３０２からパネル３０４の本体の
中に、上面３０６を穿孔することなく伸張する。実施形態では、モジュール３００の上面
３１４とパネル３０４の上面３０６との間の最大間隔は、モジュール３００の動作能力に
より指定され得る。例えば、３．１８ミリメートルの最大間隔距離が、モジュール３００
の最適な性能を提供するために指定され得る。最大間隔距離は、例えば、以下のものに限
らないが、モジュール３００の動作電力、誘導コイルの範囲、およびパネル３０４を構成
する材料などの要素に基づいて決定され得る。別の実施形態では、上部筐体３０８の高さ
が、最大間隔距離が充足されるように、所与の厚さのパネル３０４での使用のために設定
される。
【００３１】
モジュール３００は、上部筐体３０８を空洞３０３に挿入することにより、パネル３０
４の底部３０２に装着される。１つまたは複数の、ねじ、接着剤、または他の固定具が、
下部筐体３１０をパネル３０４の底部３０２に付着させるために使用される。充電表示器
３１３は、それがユーザに見えるように、パネルの上の、またはその近辺の所望の位置に
装着される。電源コード３１２は、適切な電源に結合され、モジュール３００の動作は、
モジュール２００に関して上記で説明されたように進行する。
【００３２】
次に、図４Ａ乃至図４Ｃを参照して、本発明の別の実施形態による、モジュール４００
が説明される。モジュール４００は、低電力制御ユニット４０２、低電力誘導コイル４０
４、ならびに、上部筐体４０６および下部筐体４０８の内部に収容される関連する構成要
素を含む。低電力制御ユニット４０２および低電力誘導コイル４０４は、上記で説明され
たように、および当技術分野で知られるように動作し、上部および下部の筐体４０６、４
０８の内部に、複数の固定具４１２により下部筐体に付着される底板４１０により封入さ
れる。充電表示器４１４もまた、上記で説明されたように含まれる。
【００３３】
動作の際には、モジュール４００は、上記で説明されたモジュール３００と同様に動作
し、装着される。上部筐体４０６は、パネルの底面内の空洞に挿入され、モジュール４０
０は、任意の利用可能な方法により底面に固着される。装着の構成では、誘導コイル４０
４の近くに配置される二次コイルを有する二次デバイスが電力供給すなわち充電され得る
ように、パネルの上面からの所望の動作距離内に、誘導コイル４０４を配置する。充電表
示器４１４は、パネルの中に、またはその近辺に装着され、モジュール４００に関する状
態情報をユーザに提供する。
【００３４】
図５Ａ乃至図５Ｃは、本発明の実施形態による、中電力モジュール５００を図示する。
モジュール５００は、上記で説明されたモジュール４００のものと同様に構成され、動作
する。しかしながら、モジュール５００は、中電力制御回路５０２および中電力誘導コイ
ル５０４を含む。
【００３５】
次に、図６Ａおよび図６Ｂを参照すると、本発明の別の実施形態による、モジュール６
００が図示される。モジュール６００は、上記で説明されたモジュール３００、４００、
および５００と同様に、制御回路６０２および誘導コイル６０４を含むが、モジュール６
００は、単一の筐体６０６を含むだけである。筐体６０６は、図６Ｂで図示されるように
、面板６０８に結合されるときに、制御回路６０２および誘導コイル６０４のための全体
的な密閉容器を形成する、中空の円筒形の構成要素である。モジュール６００はさらに、
筐体６０６および面板６０８での開口部６１２を通してアクセス可能である、１つまたは
複数のプラグ６１０を含む。電源コード（図示せず）および充電表示器（図示せず）は、
プラグ６１０を介してモジュール６００に接続され得る。
【００３６】
使用の際には、モジュール６００は、パネルの底面に、または底面内の空洞の内部に装
着される。モジュール６００は、誘導コイル６０４の近辺の筐体６０６の面が、モジュー
ル６００が装着されるパネルの上面に最も近いように方向が定められる。単一の筐体６０
６の円筒形の構成によって、モジュール６００は、任意の深さの空洞内に装着され得る。
モジュール６００は、利用可能であり所望されるならば、プラグ６１０を介して電源およ
び充電表示器に接続され、上記で説明されたように動作する。
【００３７】
図７Ａ乃至図７Ｄを参照すると、本発明の実施形態による、高プロファイルの調整可能
なモジュール７００が図示される。モジュール７００は、制御回路７０６および誘導コイ
ル７０８を封入する、上部筐体７０２および下部筐体７０４を含む。上部筐体７０２は、
閉口の第１の端部７１０および開口の第２の端部７１２を有する中空の円筒を含む。環状
フランジ７１４が、上部筐体７０２の第２の端部７１２から半径方向に外方向に伸張する
。誘導コイル７０８は、上部筐体７０２の内部に、第１の端部７１０に接して、またはそ
の近辺に設置される。
【００３８】
下部筐体７０４は、１つの面上に開口部７１６を有する、全体的に長方形の中空の箱で
ある。開口部７１６は、上部筐体７０２がそれを通って横切ることを可能にし、ただし、
開口部を通って環状フランジ７１４が横切ることを阻害するのに好適な寸法を有し、それ
によって、上部筐体７０２が下部筐体７０４から分離しないようにする。さらに、下部筐
体７０４は、制御回路７０６および関係するハードウェアを支持かつ保持するための様々
な特徴部を含む。
【００３９】
コイル圧縮ばね７１８が、図７Ｄに図示されるように、伸張される位置に上部筐体７０
２を偏移させるために、上部筐体７０２の内部に配置される。伸張される位置では、上部
筐体７０２は、下部筐体７０４内の開口部７１６から突出し、環状フランジ７１４が、上
部筐体７０２を保持するために、下部筐体７０４の内面に接触する。したがって、上部筐
体７０２は、上部筐体７０２の第１の端部７１０に力を加え、ばね７１８を圧縮すること
により、下部筐体７０４の中に圧縮可能である。
【００４０】
モジュールは、前に説明されたものと同様に、パネルに装着される。上部筐体７０２は
、パネルの下側部内の空洞に挿入され、下部筐体７０４は、１つまたは複数の固定具によ
りパネルの底面に付着される。電源コードおよび充電表示器が、モジュール７００に結合
され、モジュール７００は、前に説明されたように動作する。
【００４１】
上部筐体７０２の圧縮可能性は、厚さが変化に富む種々のパネル内に装着するための、
モジュール７００の調整性をもたらす。上部筐体７０２が挿入される空洞は、深さゼロか
ら、上部筐体７０２の完全な高さに等しい深さまで、任意の深さであり得る。したがって
、空洞に挿入されるとき、下部筐体７０４からの上部筐体７０２の伸張は、空洞の深さに
対応するようにばね７１８を圧縮することにより、自動的に調整可能である。
【００４２】
本発明の別の実施形態による、第２の調整可能なモジュール８００が、図８Ａ乃至図８
Ｃに図示される。モジュール８００は、筐体８０４からの誘導コイル８０２の伸張の調整
性をもたらすために、はめ込み式（ｔｅｌｅｓｃｏｐｉｎｇ）構成要素を使用する。筐体
８０４は、閉口の第１の面８０６および開口の第２の面８０８を有する中空の長方形の箱
型の部分を含む。フランジ８１０が、第１の面８０６から筐体８０４の周辺部の周囲に伸
張する。さらに、第１の面８０６の部分は、第１の面から外方向に突出して、中空の円筒
形の突出部８１２を形成する。第１および第２のはめ込み式部材８１４、８１６が、突出
部８１２の内部の中に受け入れられ、１つまたは複数のつまみ８１８により、それと連絡
して保持される。コイル圧縮ばね８２０が、はめ込み式部材８１４、８１６を伸張される
位置に偏移させるために、突出部８１２ならびに第１および第２のはめ込み式部材８１４
、８１６に対して内側に設置される。誘導コイル８０２は、第２のはめ込み式部材８１６
の上面８２２に付着される。制御回路（図示せず）および他の任意の必要なハードウェア
が、筐体８０４の残りの部分の内部に装着される。
【００４３】
モジュール８００は、筐体８０４の大部分がパネルの内部に包含されるような、パネル
の下側部の内部への低プロファイルの装着のために設計される。第１および第２のはめ込
み式部材８１４、８１６を受け入れるのに好適な寸法である円筒形の空洞（図示せず）が
、きりもみまたは中ぐりによるなどして、パネルの下側部内に生成される。円筒形の空洞
は、深さゼロから、第１および第２のはめ込み式部材８１４、８１６の完全な伸張の長さ
の間の、任意の深さであり得るが、空洞とパネルの上面との間に、パネルの最大の厚さ未
満のものをもたらすのに十分でなければならない。外壁部８２６の内側に包含される筐体
８０４の上部８２４を受け入れるのに好適な寸法である、追加的空洞（図示せず）が、パ
ネルの下側部内に形成される。円筒形の空洞が、第１および第２のはめ込み式部材８１４
、８１６と位置合わせするように、追加的空洞の内部に位置決めされる。フランジ８１０
がパネルの下側部に当接するように、第１および第２のはめ込み式部材８１４、８１６が
、円筒形の空洞に挿入され、筐体８０４が、追加的空洞に挿入される。１つまたは複数の
止め具が、モジュール８００をパネル内に保持するために、フランジ８１０を通して配置
される。
【００４４】
したがって、誘導コイル８０２は、円筒形の空洞の内部に、およびその上面に接して配
置される。はめ込み式部材８１４、８１６は、筐体８０４が追加的空洞に押し込まれる際
に、空洞の深さに適合するように調整可能である。さらに、筐体８０４の上部８２４がパ
ネルの内部に包含される際に、突出部８１２のみが、パネル下方の空間に伸張する。その
ような構成は、パネルの下の活動または物体に対して、最小限に侵略的または妨害的であ
るモジュール８００を提供する。例えば、モジュール８００は、モジュール８００が装着
される机に座る人が、モジュールに気づくことになる、または、モジュールにその人のひ
ざでぶつかることになる可能性を非常に低くする。
【００４５】
誘導結合回路
上記で説明されたモジュール２００乃至８００は、機能実行するためには電力が供給さ
れなければならない。前に説明されたように、モジュール２００乃至８００は、ありふれ
た電気コードまたは延長コードにより、標準的な電源に接続され得る。作業面上にコード
が存在すること、机上面などのパネルから垂れ下がること、または床上に置かれること、
および、所望の電力コンセントに届くように延長コードを使用することの必要性など、標
準的な電気コードを使用することに関連する多くの欠点が存在する。これらの欠点に関連
する危険には、つまずきおよびもつれの危険、感電死の危険、ならびに火災の危険などが
ある。したがって、本発明の実施形態では、モジュール２００乃至８００は、パネルの底
面上に装着される、またはそれと一体である誘導結合回路に接続される。
【００４６】
図９Ａ乃至図９Ｄを参照して、本発明の実施形態による、誘導結合回路９００（以降「
回路」）が説明される。作業台９０４のテーブル部分９０２内に装着される回路９００が
、図示される。誘導結合ユニット９０６（ＩＣユニット）が、ＩＣユニット９０６の内部
に収容される誘導コイル（図示せず）がその近くに来る二次誘導コイルと誘導結合するた
めに適切に方向が定められるように、テーブル９０２の各端部に装着される。ＩＣユニッ
ト９０６は、テーブル９０２と一体であり、テーブル９０２の第１の端部９０８に沿って
露出される。第２のＩＣユニット９０６が、同一の様式で、テーブル９０２の第２の端部
９１０に沿って装着される。別の実施形態では、ＩＣユニット９０６は、テーブル９０２
の第１および第２の端部９０８、９１０の内部に装着され、端部の面では露出されない。
別の実施形態では、ＩＣユニット９０６は、テーブルと一体であることと対照的に、テー
ブル９０２の底面９１５に装着される。
【００４７】
図９Ｄで最良に図示されるように、１対の電気接続分節９１２が、テーブル９０２の底
面に沿ってＩＣユニット９０６間に伸張する。分節９１２は、テーブル９０２の第１およ
び第２の端部９０８、９１０に装着されるＩＣユニット９０６間の電気的連絡をもたらす
。分節９１２は、テーブル９０２の下に垂れ下がる迷い出る電気コードをなくすように、
テーブル９０２の底面９１５に付着される。分節９１２は、例えば、以下のものに限らな
いが、単線、編組線、またはプリント線などの任意の所望の電気接続を含み、囲いの内部
に収容され得る、または単に、複数の固定具により底面９１５に付着され得る。
【００４８】
図９Ｃおよび図９Ｄに示されるように、複数の作業台９１４、９１６、および９１８が
、第１の作業台９１４のＩＣユニット９２２を第２の作業台９１６のＩＣユニット９２４
の近くに配置するように、相互に当接される。同様に、第２の作業台９１６のＩＣユニッ
ト９２６が、第３の作業台９１８のＩＣユニット９２８の近くに配置される。したがって
、第１の作業台９１４のＩＣユニット９２０に供給される電力は、分節９１２を介してＩ
Ｃユニット９２２に伝送される。次いで、電力は、ＩＣユニット９２２と９２４との間の
誘導結合によって、ＩＣユニット９２４に伝達される。その後同様に、電力は、分節９３
０を介してＩＣユニット９２６および９２８に、分節９３２を介して末端部のＩＣユニッ
ト９３４に伝送される。それによって、電力は、作業台９１４、９１６、９１８の長さに
わたって、何の標準的な電気接続またはコードもなしに供給される。
【００４９】
さらに、電力は、誘導結合回路９００に、分節９１２、９３０、または９３２に沿うこ
とを含めて、その通路に沿った任意の点で、すなわち、ＩＣユニット９０６、９２０、９
２２、９２４、９２６、９２８、または９３４に対して誘導的に供給される。電力は、回
路９００に結合される標準的な電気コードおよび接続を介して、またはそれとの誘導結合
によって供給され得る。電力が標準的な電気コードおよび接続を介して回路９００に供給
される実施形態において、回路９００の利点は、それでも得られている、というのは、回
路９００により置換される多数の電気コードと対照的に、単一の電気コードのみが必要で
あるからである。
【００５０】
回路９００により伝達される電力は、分節９１２、９３０、または９３２に沿うことを
含めて、回路９００に沿った任意の点で、すなわち、ＩＣユニット９０６、９２０、９２
２、９２４、９２６、９２８、または９３４に対して誘導的にアクセスされ得る。したが
って、上記で説明されたもののようなモジュールまたは他の電子デバイスは、テーブル９
０２上の任意の位置で電力を付与するために、回路９００に接続され、テーブル９０２内
に装着され得る。別の実施形態では、１つまたは複数の、コンセントまたは他の電気接続
が、回路９００の電力にアクセスすることにより、テーブル９０２上で提供される。この
ように、回路９００は、連結可能（ｇａｎｇａｂｌｅ）であり、デバイスがそれと、例え
ばデイジーチェーン構成でのような、様々な構成で接続されることを可能にする。回路９
００は、３つの作業台９１４、９１６、および９１８に関して本明細書で説明されたが、
任意の数の作業台が、それに電力を付与するために同様に誘導結合され得る。さらに、２
つ以上の回路９００が、単一の作業台９０４、９１４、９１６、９１８の内部に含まれる
場合があり、回路９００の配列は、任意の数のＩＣユニット９０６および分節９１２の配
列を含み得る。
【００５１】
次に、図１０Ａ乃至図１０Ｂ、図１１Ａ乃至図１１Ｂ、および図１２を参照すると、本
発明の別の実施形態による、回路１０００が図示される。回路１０００は、回路９００に
関して上記で説明されたものと同じように動作するが、回路１０００は、食卓などのテー
ブル１００２と一体化される。テーブル１００２は、回路１０００が中に実装され得る物
品のほんの一例であり、本発明の範囲を限定することは意図されない。図１０Ｂに図示さ
れるように、テーブル１００２の上部１００４は、テーブル上面１００４のサイズが拡大
または縮小されることを可能にするように取り外し式である、複数の自在板（ｌｅａｆ）
または部分品１００６を含む。回路１０００は、部分品１００６のそれぞれの底面１００
８に固着される。したがって、各部分品は、２つの反対側の側部のそれぞれでＩＣユニッ
ト１０１０を含む。
【００５２】
図１１Ａおよび図１１Ｂに図示されるように、ＩＣユニット１０１０は、テーブル上面
１００４と部分的に一体化されるが、テーブル上面と完全に一体化される場合があり、ま
たは、その底面１００８に装着される場合がある。図１１Ａは、ＩＣユニット１０１０の
内部に収容される誘導コイル１０１２を図示する。さらに、分節１０１４の対が、テーブ
ル上面１００４の底部１００８に装着される。別の実施形態では、分節１０１４の対を編
成する２つの分節が組み合わされる。分節１０１４は、テーブル上面１００４の単一の部
分品１００６上のＩＣユニット１０１０間の電気的連絡をもたらす。
【００５３】
したがって、回路１０００により、テーブル上面１００４の長さに沿った電力の伝達が
可能になる。回路９００に関して前に説明されたように、電力は、回路１０００に、標準
的な電気コードおよび接続により、またはそれに対する誘導結合により、回路に沿った任
意の点で供給され得る。さらに、テーブル上面１００４は、１つまたは複数の部分品１０
０６を、追加または除去することにより、拡大または縮小され得る。部分品１００６のそ
れぞれは１対のＩＣユニット１０１０および分節１０１４を含むので、回路１０００もま
た、テーブル上面１００４とともに拡大または縮小される。このように、電力は、部分品
１００６がいくつ追加または除去されても、テーブル上面１００４上の任意の位置に供給
され得る。さらに、上記で説明されたように、１つまたは複数の、モジュールまたは他の
デバイスが、使用すべき回路に結合され得る、または、それによって伝達される電力を分
配することができる。
【００５４】
図１３Ａ乃至図１３Ｃは、本発明の実施形態による、回路１０００を図示する。回路１０００は、複数のモジュール式机上面パネル１１０１に付着される。回路１０００は、第１の分節１００２、第２の分節１００４、および第３の分節１１０６を含む。第１の分節１００２は、第１の端部でＩＣユニット１１０８を、および第２の端部でＩＣユニット１１１０を含む。第１のＩＣユニット１１０８は、回路１０００が設置される小区画（ｃｕｂｉｃｌｅ）１００９の壁部内に収容される相補的なＩＣユニット（図示せず）によって、回路１０００を電源と誘導結合する。したがって、電力は、ＩＣユニット１１０８との誘導結合により、回路１０００に供給される。
【００５５】
電力は、上記で説明された任意の利用可能な手段を備える接続経路（ｃｏｎｎｅｃｔｉｎｇ ｒｕｎ）１１１２により、第１の分節１００２に沿って伝達される。電力は、第２の分節１００４の第１の端部で、ＩＣユニット１１１０とＩＣユニット１１１４との間の誘導結合によって、第２の分節１００４に伝達される。電力は、第２の接続経路１１１６に沿って、第２の分節１００４の第２の端部のＩＣユニット１１１８に同様に伝達され、ＩＣユニット１１１８と、第３の分節１１０６のＩＣユニット１１２０との間の誘導結合によって、第３の分節１１０６に誘導的に伝達される。
【００５６】
さらに、図１３Ｂおよび図１３Ｃに図示されるように、上記で説明されたモジュール２００乃至８００などの複数のモジュール１１２２が、机上面パネル１１０１の下側部に装着される。モジュール１１２２は、接続経路１１１２、１１１６、および第３の分節１１０６の接続経路１１２４への、迅速接続またはプラグアンドプレイ接続１１２３によって、回路１０００に接続される。実施形態では、モジュール１１２２は、電線の添接、プラグ接続、穿孔接続、およびハード配線などを含む任意の利用可能な方法で回路１０００に接続される。したがって、モジュール１１２２は、動作または充電のための電力を得るために、モジュール１１２２と、および回路１０００と誘導結合するために、二次コイルを有する二次デバイスが配置され得る、机上面パネル１１０１上の位置を提供する。
【００５７】
任意の数のモジュールが、据え付けられ、対応する充電区域が、任意の位置に生成され
得ることを理解されたい。説明された再充電式デバイスは、単に一例としてのものであり
、実質上無限の数の、および様々なデバイスが、それらに適切な二次コイルが設けられる
限り、机上面内に据え付けられるモジュールによって充電され得ることを、さらに理解さ
れたい。さらに、上記で説明されたような面内に据え付けられるモジュールの実装は、１
つもしくは複数の一次コイルが販売前に据え付けられる、相手先商標製造（ＯＥＭ）とし
ても知られる新製品として、ならびに、販売後に据え付けられ得る１つもしくは複数のモ
ジュールを含むキットなどのアフターマーケット製品としてのどちらでも企図される。
【００５８】
以上から、本発明が、明白であり構造に固有である他の利点とともに、上記で記載され
たすべての目標および目的を達成するように十分に適合されたものであることが認められ
るであろう。
【００５９】
ある特徴および部分的組み合わせが、有用であり、他の特徴および部分的組み合わせに
関係なく使用され得ることが理解されよう。これは、特許請求の範囲により企図され、そ
の範囲内にあるものである。
【００６０】
本発明の多数の可能な実施形態が、その範囲から逸脱することなく行われ得るので、本明細書に記載された、または添付の図面に示されたすべての事柄は、例示的であり、限定的な意味ではないと解釈されるべきであることを理解されたい。
（項目１）
パネルの第１の側部に結合された筐体であって、少なくとも一部分が前記第１の側部内の空洞内に伸張する、筐体と、前記筐体の内部に配設され、前記第１の側部の反対側の前記パネルの第２の側部の上面の動作距離内に設置された誘導コイルであって、前記空洞の内面に接触し、もしくは前記空洞の内面の近辺にあり、前記空洞の前記内面との間に前記筐体の壁部が配設された、もしくは配設されない、誘導コイルと、前記誘導コイルの動作を制御し、電源に接続するために、前記筐体の内部に配設された制御電子回路とを備えた、誘導結合モジュール。
（項目２）
前記誘導結合モジュールの状態の表示を与えるために、制御回路に結合され、前記パネルの前記第２の側部から見える光源を含む状態表示器をさらに備えた、項目１に記載の誘導結合モジュール。
（項目３）
前記筐体は、本体部分およびコイル部分をさらに備え、前記本体部分は前記制御電子回路を実質的に包含し、前記コイル部分は前記誘導コイルを包含し、前記コイル部分は円筒形であり、前記本体部分の面から、少なくとも部分的に、前記パネルの前記第１の側部内の前記空洞内に伸張する、項目１に記載の誘導結合モジュール。
（項目４）
前記コイル部分が前記本体部分から伸張する距離は、前記コイル部分を前記パネルの前記第１の側部内の前記空洞の深さに適合させるように調整可能であり、前記コイル部分は、伸張された位置に向かって偏移された、項目３に記載の誘導結合モジュール。
（項目５）
前記コイル部分は、複数のはめ込み式分節を含む、項目４に記載の誘導結合モジュール。
（項目６）
前記本体部分の少なくとも一部分は、前記パネルの前記第１の側部内の前記空洞内に配設された、項目３に記載の誘導結合モジュール。
（項目７）
前記誘導コイルは、低電力、中電力、および高電力の誘導コイルの、１つまたは複数である、項目１に記載の誘導結合モジュール。
（項目８）
前記パネルの前記第１の側部内の前記空洞は、前記パネルの前記第２の側部に対する面下構成で、前記誘導結合モジュールを設けるために、前記パネルの厚さの中に部分的にのみ伸張し、または、前記筐体の一部分が露出され前記パネルの前記第２の側部の前記上面と同じ高さである同高装着構成で、もしくは前記筐体の一部分が前記パネルの第２の側部の前記上面の上方に伸張する面装着構成で、前記誘導結合モジュールを設けるために、前記パネルならびに前記第１および第２の側部の厚さを貫通して伸張する貫通孔を備えた、項目１に記載の誘導結合モジュール。
（項目９）
モジュール式家具の第１の物品の第１の側部に沿って配設された第１の誘導コイルと、モジュール式家具の前記第１の物品の第２の側部に沿って配設された第２の誘導コイルと、前記第１および第２の誘導コイルの両方に結合され、前記第１および第２の誘導コイル間の電気的連絡をもたらす導電体とを備え、モジュール式家具の第１の物品は、電力の供給源の１つもしくは複数、ならびに、１つもしくは複数の第２の同様に構成されたモジュール式家具の物品に誘導結合され、１つまたは複数の電子デバイスは、前記電子デバイスに電力を供給するために前記導電体に結合された、モジュール式家具の物品用の誘導結合の配電回路。
（項目１０）
前記電子デバイスの１つまたは複数は、家具の前記第１または第２の物品上に装着された誘導結合電力モジュールを備えた、項目９に記載の配電回路。
（項目１１）
モジュール式家具の前記第１および第２の物品は、パネルを含み、前記第１および第２の誘導コイルは、少なくとも部分的に前記パネルの本体の内部に、および前記パネルの反対側の縁部に配設された、項目９に記載の配電回路。
（項目１２）
家具の第１および第２の物品の複数は、直列回路、並列回路、またはデイジーチェーン回路の構成の、１つまたは複数で相互に誘導結合された、項目９に記載の配電回路。
（項目１３）
前記導電体は、迅速接続またはプラグアンドプレイ接続を受け入れるように構成された、項目９に記載の配電回路。
（項目１４）
モジュール式家具の前記第１および第２の物品は、机上面パネル、テーブル上面パネル、作業台、事務所の立体構成要素、および座席家具構成要素を備えた、項目９に記載の配電回路。
（項目１５）
モジュール式家具の前記第１および第２の物品は、拡大可能なテーブル上面の自在板を備えた、項目９に記載の配電回路。
（項目１６）
複数の机上面パネルと、前記複数の机上面パネルのそれぞれの第１の縁部に沿って配設された第１の誘導コイルと、前記複数の机上面パネルのそれぞれの第２の縁部に沿って配設された第２の誘導コイルであって、前記第２の縁部は、前記第１の縁部と同じもしくは異なる、第２の誘導コイルと、それぞれの机上面パネル上のそれぞれの第１および第２の誘導コイルの間に結合され、前記第１および第２の誘導コイルの間の電気的連絡をもたらす導電体と、前記複数の机上面パネルのそれぞれの下側部の上または内部に配設され、それぞれのパネル上の前記導電体に電気的に結合された１つもしくは複数の誘導結合モジュールと、前記複数のパネルの少なくとも１つの上の前記第１の誘導コイルと電力の供給源との間の電気的結合とを備え、前記複数の机上面パネルのそれぞれの上に配設された前記第１または第２の誘導コイルの少なくとも１つは、前記複数のパネルのすべてを接続する電気回路を形成するために、前記複数の机上面パネルの少なくとも１つの他のものの上に配設された前記第１または第２の誘導コイルに誘導結合された、モジュール式家具の物品用の誘導結合の配電回路。
（項目１７）
前記複数のパネルの少なくとも１つの上の前記第１の誘導コイルと電力の前記供給源との間の前記電気的結合は、誘導結合である、項目１６に記載の配電回路。
（項目１８）
前記複数の机上面パネルのそれぞれの下側部の上または内部に配設された前記誘導結合モジュールは、前記机上面パネルの下側部に結合された筐体であって、少なくとも一部分が前記机上面パネルの前記下側部内の空洞内に伸張した、筐体と、前記筐体の内部に配設され、前記机上面パネルの上面の動作距離内に設置され、前記筐体の内面に接し、もしくは近辺にあり、前記空洞内に伸張する前記筐体の前記一部分の内部にある誘導コイルと、前記誘導コイルの動作を制御し、前記導電体に接続するために、前記筐体の内部に配設された制御電子回路とをさらに備えた、項目１６に記載の配電回路。
（項目１９）
前記筐体は本体部分およびコイル部分をさらに備え、前記本体部分は前記制御電子回路を収容し、前記コイル部分は前記誘導コイルを収容し、前記コイル部分は、円筒形であり、前記本体部分から、少なくとも部分的に、前記机上面パネルの前記下側部内の前記空洞内に伸張し、前記コイル部分が前記本体部分から伸張する距離は、前記コイル部分を前記机上面パネルの前記下側部内の前記空洞の深さに適合させるように調整可能であり、前記コイル部分は、伸張された位置に向かって偏移された、項目１８に記載の配電回路。
（項目２０）
前記導電体は、迅速接続またはプラグアンドプレイ接続を受け入れるように構成された、項目１６に記載の配電回路。
【図１】
0005952883.tif 000002
【図２】
0005952883.tif 000003
【図３】
0005952883.tif 000004
【図４】
0005952883.tif 000005
【図５】
0005952883.tif 000006
【図６】
0005952883.tif 000007
【図７】
0005952883.tif 000008
【図８】
0005952883.tif 000009
【図９Ａ】
0005952883.tif 000010
【図９Ｂ】
0005952883.tif 000011
【図９Ｃ】
0005952883.tif 000012
【図９Ｄ】
0005952883.tif 000013
【図１０】
0005952883.tif 000014
【図１１】
0005952883.tif 000015
【図１２】
0005952883.tif 000016
【図１３】
0005952883.tif 000017